(57)【要約】      （修正有）【課題】作業者の滑落や踏み外し等による人身事故を防ぐことのでき、設置場所の自由度が大きく、設置と取外しが簡便な建設作業用足場板を提供する。【解決手段】板本体部２と、板本体部の長軸方向両端部に配設され、昇降器具と接続可能な係止具３とを備えるとともに、板本体部表面の長軸方向に平行な溝４が設けられ、溝の底部には板本体部を建物構成部分に固定するための固定具５が挿入可能な貫通孔６が形成されている。【選択図】図１
0003191442.tif 000002
【実用新案登録請求の範囲】
【請求項１】
建設作業用足場板であって、
板本体部と、板本体部において長軸方向の両端部に配設され、昇降器具と接続可能とされている係止具とを備えるとともに、
前記板本体部表面の長軸方向に平行な溝が設けられ、前記溝の底部には板本体部を建物構成部分に固定するための固定具が挿入可能とされている貫通孔が形成されている
ことを特徴とする建設作業用足場板。
【請求項２】
前記板本体部が木質板から形成されていることを特徴とする請求項１に記載の建設作業用足場板。
【請求項３】
前記溝は複数であることを特徴とする請求項１または２に記載の建設作業用足場板。
【請求項４】
前記溝とともに前記貫通孔を有しない長軸方向に平行な溝が単数もしくは複数設けられていることを特徴とする請求項１から３のいずれか一項に記載の建設作業用足場板。
【考案の詳細な説明】
【技術分野】
【０００１】
本考案は、建設作業中の建物の内部に設置するための建設作業用足場板に関するものである。
【背景技術】
【０００２】
従来、木造建築では、高所における建設作業時の安全性を確保するために、建物の外壁、外構等の作業においては、単管、パイプクランプおよび固定ベース等で組まれた足場組の構架パイプ間に足場板が架け渡されており、建物内部の壁や床張りが未完成な開口部分においては、梁の下側に安全ネットを張ったり、開口部分の根太や梁の上に構造用合板や厚ベニヤ板等を敷き、仮設の作業床を設ける等して、人身事故の防止が図られている。ただ、従来の建設作業現場では、足場板の表面は平坦であってすべり止めが設けられておらず、また、単に根太や梁の上に板を敷いているに過ぎず、建物の軸組みに板は固定されていなかった。このため、作業者の滑落や踏み外し、物品の落下等による人身事故に対する防止策が強く求められている。
【０００３】
このような背景から、墜落および物品の落下防止を目的とした足場板（特許文献１）や根太上に載せて作業を容易にできるようにする作業床固定構造（特許文献２）等が提案されている。
【０００４】
特許文献１の提案では、長尺方向の両端に係止部を有する足場板をその係止部においてスチールパイプやアルミパイプ等により組み立てた足場組の構架パイプ間に架け渡し、さらには、足場板に埋め込まれたバネ付筒にピン付爪先板のピン部分を挿入して足場板用爪先板が固定されている。このような構造を備えることにより、爪先板のピン部分がバネ付き筒内のバネによって緊縛され、爪先板は、人力によって持ち上げられない限り足場板から脱落することはなく、作業者の滑落や踏み外し、物品の落下等による人身事故を防ぐことが可能とされている。
【０００５】
また、特許文献２の提案では、根太の間隔に合わせた幅の作業床を構成し、作業床の四隅にピン孔を開口し、少なくとも隣接する二つの作業床のピン孔間に、固定金具より突出したピンを挿入して、根太上に敷いた両作業床が固定されている。このような構造を備えることにより、二本のピンが根太を挟むように挿入され、作業床がズレることなく固定され、床を張る前の他の作業を安全に進めることが可能とされている。
【０００６】
しかしながら、特許文献１に記載された足場板では、両端係止部間が均一な長さの足場板が用いられ、しかもこの足場板には足場組のほぼ同じ距離の構架パイプ間に架け渡されるため、建物の外壁、外構等の作業用としては考慮されるものの、建物ベランダ部の作業や、建物構成の材部での２階以上の階での、そして屋根裏作業用として用いることはできず、足場板としての設置場所の自由度に乏しく、建物構成の内部などにおいても随時に移動させて設置、取外しを簡便に行うことができないという基本的な問題点があった。しかも前記の足場板用爪先板では、足場板自体の設置方法は、単管、パイプクランプおよび固定ベース等で組まれた足場の横架材に足場板を架け渡しているに過ぎず、足場板の固定が十分であるとは言い難い側面があった。また、特許文献２に記載された作業床固定構造では、前記と同様に足場板としての設置自由度に乏しく、しかも具体的には根太の太さ、および根太と根太との間隔と固定金具の二本のピンの間隔が一致している建材を用いていない場合、適用が困難であることが指摘される。
【先行技術文献】
【特許文献】
【０００７】
【特許文献１】特開平１１−３４３７３２号公報
【特許文献２】実開平６−１６５９８号公報
【考案の概要】
【考案が解決しようとする課題】
【０００８】
本考案は、以上のとおりの事情に鑑みてなされたものであり、建物ベランダ部や、建物構成の内部での２階以上の階での、その屋根裏等の作業においても梁の上での不安定な作業ではなく、安定した足場上での作業を可能とし、足場板としての設置場所の自由度が大きく、随時に移動させて設置、取外しを簡便に行うことができ、作業者の滑落や踏み外し等による人身事故を防ぐことのできる安全性をより向上可能とする建設作業用足場板を提供することを課題とする。
【課題を解決するための手段】
【０００９】
本考案の建設作業用足場板は、板本体部と、板本体部において長軸方向の両端部に配設され、昇降器具と接続可能とされている係止具とを備えるとともに、板本体部表面の長軸方向に平行な溝が設けられ、溝の底部には板本体部を建物構成部分に固定するための固定具が挿入可能とされている貫通孔が形成されていることを特徴とする。
【００１０】
本考案の建設作業用足場板においては、板本体部が木質板から形成されていることが好ましい。
【００１１】
また、前記溝は複数であることや、前記溝とともに前記貫通孔を有しない長軸方向に平行な溝が単数もしくは複数設けられていることが好ましい。
【考案の効果】
【００１２】
本発明の建設作業用足場板によれば、作業者の滑落や踏み外し等による人身事故を防ぐことのできる建設作業用足場板を提供することが可能となる。
【図面の簡単な説明】
【００１３】
【図１】本発明の建設作業用足場板の一実施形態を示した分解斜視図である。
【図２】図１に示した建設作業用足場板の斜視図である。
【図３】図１に示した建設作業用足場板の端部の拡大図および側面図である。
【図４】図１に示した建設作業用足場板の固定具を挿入可能な貫通孔周辺の拡大図およびＡ−Ａ’断面図である。
【考案を実施するための形態】
【００１４】
以下、本発明を実施するための形態について詳細に説明する。
【００１５】
本明細書において「建物構成部分」の用語には、柱、梁、根太等の部材とこれらの部材を組み合せた建物の軸組みを含んでいる。
【００１６】
上記のとおり、図１は、本発明の建設作業用足場板の一実施形態を示した分解斜視図であり、図２は、図１に示した建設作業用足場板の斜視図である。また、図３は、図１に示した建設作業用足場板の端部の拡大図および側面図である。図４は、図１に示した建設作業用足場板の固定具を挿入可能な貫通孔周辺の拡大図およびＡ−Ａ’断面図である。
【００１７】
図１、２に示すように、建設作業用足場板１では、板本体部２には、先端にフック１４を取り付けたロープ１５などの昇降器具１３を接続可能としている係止具３が長軸方向の両端部に配設されている。板本体部２の表面には、長軸方向に平行な溝４が設けられている。この溝４のうちのより広幅の溝４ｂの底部に板本体部２を建物構成部分に固定するための固定具５を挿入可能な貫通孔６が形成されている。また、板本体部２の表面には、長軸方向の両端部近くであって、短軸方向の略中央付近に、ナット係合孔１２が開孔されている。
【００１８】
係止具３は、フック１４を係止可能な環状の頭部と雄ネジが切られた軸部を備えたボルトである吊具７と、吊具７を締結可能な雌ネジが切られた吊具固定ナット８と、断面略コの字状の金属製の部材である端部材９とを備えている。
【００１９】
吊具７は、図３（ａ）（ｂ）に示すように板本体部の小口部に形成された吊具挿入孔１０に挿入され、ナット係合孔１２において吊具固定ナット８と締結されることによって固定される。
【００２０】
端部材９は、断面略コの字状の金属製の部材であって、板本体部２の両端を覆うように取り付けられ、端部材固定具１１を用いて固定される。端部材固定具１１は、端部材９を貫通するように上面に挿入されて、板本体部２と端部材９とを固定することができる。端部材固定具１１としては、釘、ネジ等が例示されるが、固定力の観点からネジを用いることが好ましい。
【００２１】
このような係止具３を備えていることにより、本考案の建設作業用足場板１は、昇降器具１３と係止具３とが接続され、建物ベランダ部や、建物構成の内部での２階以上の階での、その屋根裏等の高所に位置する建設作業現場まで容易に運搬可能となる。また、随時に移動させて設置を行うことができ、作業者の滑落や踏み外し等による人身事故を防ぐことで安全性をより向上可能とする。
【００２２】
昇降器具１３は、通常の建設作業現場で資材の運搬、牽引に使用されるものであれば、何ら限定されるものではない。例えば、先端にフック１４を取り付けたロープ１５等が例示される。また、ロープ１５に替えてワイヤー等を使用してもよい。
【００２３】
板本体部２の表面には、板本体部２の長軸方向に平行な溝４が少なくとも一本形成されている。この溝４は、すべり止めとして機能し、作業者の滑落を防止することができる。また、溝４は、複数形成されてもよく、幅や長さの異なる溝４が形成されていてもよい。図４（ａ）（ｂ）に示すように、本考案の建設作業用足場板１の一実施形態においては、幅や長さの異なる溝４が複数形成されており、この溝４のうちのより幅狭の溝４ａは板本体部２の短軸方向外側に形成され、より幅広の溝４ｂは板本体部２の短軸方向内側に形成されている。このように、板本体部２の表面に幅や長さの異なる溝４ａ、４ｂが複数形成されることにより、本考案の建設作業足場板１はより一層すべりにくいものとなる。
【００２４】
溝４のうちのより広幅の溝４ｂの底部には、板本体部２を建物に固定するための固定具５を挿入可能な貫通孔６が形成されている。
【００２５】
溝４の幅や長さについては、後述の貫通孔６に固定具５を挿入し、建設作業用足場板１と建物の軸組み１６とを固定するための作業が可能であれば、特に限定されるものではない。また、溝４の幅は、溝４の底部と作業者の足裏とが接触しない限り、特に限定されるものではない。
【００２６】
本考案の建設作業用足場板１を用いて建物を施工する場合、従来と同様に柱を立てて梁上に一定間隔をおいて根太を横架して建物の軸組み１６を構築し、その後、建設作業用足場板１の板本体部２の両端部に配設された係止具３に昇降器具１３を接続し、建設作業用足場板１を梁および根太の上まで吊り上げる。根太上に吊り上げられた建設作業用足場板１は貫通孔６の直下に建物の軸組み１６が位置するように開口部に架け渡される。そして、板本体部２の表面に形成された溝４のうち、より幅広の溝４ｂの底部の貫通孔６に、固定具５を挿入することによって、梁や根太等の建物の軸組み１６に固定される。このような構成を備えていることにより、本考案の建設作業用足場板１は、建物と一体化し建設作業用足場板１が建物の軸組み１６上から落下することがなくなる。
【００２７】
建設作業用足場板１の敷設は、建設作業用足場板１の長軸方向と根太等の長軸方向が平行であっても、直交していてもよいが、建設作業用足場板１の長軸方向と根太等の長軸方向が直交していれば、万一作業者が建設作業用足場板１を踏み外したとしても、高所から落下する恐れを大幅に低減することが可能となる。
【００２８】
貫通孔６は、図１、２においては、板本体部２の長軸方向の中央付近に開孔されているが、溝４ｂの底部であれば板本体部２の長軸方向のいずれの箇所において開孔されていてもよい。貫通孔６が、板本体部２の長軸方向の中央付近に開孔されていることによって、建設作業用足場板１の左右のバランスがとれるため、より安定した設置が可能となる。一方、貫通孔６が、板本体部２の長軸方向の端部付近に開孔されている場合、建物内部において貫通孔６に固定具５を挿入し、建物の軸組み１６と固定することによって、屋外に建設作業用足場板１を大きく突出させることが可能になる。このように屋外に突出させた建設作業用足場板１を利用することによって、建物ベランダ部や軒先、屋根等の屋外側の高所における作業を安全に行うことができる。
【００２９】
また、貫通孔６は、屋根をかける前に降雨、降雪があった際等に、雨水等の水抜き孔としても機能する。
【００３０】
貫通孔６の開口部の外周は、後述の固定具５の撤去作業を簡便にするために座繰りされていてもよい。
【００３１】
固定具５としては、一般の建設現場で使用されている資材を用いることが出来る。例えば、釘、ネジ、アンカーボルト等が例示される。特に、固定作業と取り外し作業の簡便さの観点から釘を用いることが好ましい。固定具５として釘を用いることにより、簡便かつ確実に本考案の建設作業用足場板１と建物の軸組み１６とを固定することが可能となる。
【００３２】
また、固定具５として釘を用いた場合、撤去作業を簡便にするため、釘頭は溝４ｂの底部と面一にならないようにわずかに突出させていてもよい。溝４ｂの幅は、溝４ｂの底部にまで作業者の足裏が入り込むことがない範囲とされているため、作業者の足裏は板本体部２の表面との接触にとどまり、わずかに突出している釘頭によって負傷することはない。
【００３３】
このような構成を備えていることにより、本考案の建設作業用足場板１は、建物ベランダ部や、建物構成の内部での２階以上の階での、その屋根裏等の作業においても梁の上での不安定な作業ではなく、安定した足場上での作業を可能とし、足場板としての設置場所の自由度が大きく、随時に移動させて設置、取外しを簡便に行うことができ、作業者の滑落や踏み外し等による人身事故を防ぐことができ、安全性をより向上可能とする。また、寒冷地においては、冬季の建設作業中に柱等の木材が凍結することがあり、従来品の足場板を固定することなく足場組の構架材に架け渡しただけでは、足場板上に作業者が乗った際に足場板が滑り、作業者の滑落事故が起こることが知られている。しかしながら、本考案の建設作業用足場板１では、固定具５である釘が建設作業用足場板１を貫通して、建物の軸組み１６に直接釘打ち固定される構造のため、建設作業用足場板１を確実に固定することが可能となる。
【００３４】
なお、板本体部２は、通常建設作業現場で用いられている材質であれば何ら限定されない。例えば、木質板、断面略コの字状の金属板等が例示されるが、木質板から形成されていることが好ましい。板本体部２が木質板から形成されていれば、金属板と比較して軽量であるため、作業現場での取り回しが容易である。また、木質板は、現場加工性、リサイクル性等にも優れている。
【００３５】
本考案の建設作業用足場板１は、いずれの建築工法による建物の建設作業現場においても使用可能であるが、特に、軸組み工法やパネル工法等による木造建築の建設作業現場において有用である。
【００３６】
また、本考案の建設作業用足場板１は、上記の実施の形態によって何ら限定されるものではない。
【産業上の利用可能性】
【００３７】
本考案の建設作業用足場板は、作業者の滑落や踏み外し等による人身事故を防ぐことができる。
【符号の説明】
【００３８】
１  建設作業用足場板
２  板本体部
３  係止具
４、４ａ、４ｂ  溝
５  固定具
６  貫通孔
７  吊具
８  吊具固定ナット
９  端部材
１０  吊具挿入孔
１１  端部材固定具
１２  ナット係合孔
１３  昇降器具
１４  フック
１５  ロープ
１６  建物の軸組み
【図１】
0003191442.tif 000003
【図２】
0003191442.tif 000004
【図３】
0003191442.tif 000005
【図４】
0003191442.tif 000006